(57)【要約】【課題】  本発明はサブ制御ユニットの電源供給を制御して、電力消費を抑える印刷装置に関し、特にスリープ時においても必要な装置情報を取得することができる印刷装置を提供するものである。、例えば用紙の有無や用紙残量情報等の装置状態の検知が可能である印刷装置を提供するものである。【解決手段】  サブ制御ユニット２が分担するセンサ８ａの検出信号は、サブ制御ユニット２に設けられた切換回路１０によってタイミング信号の入力部に出力が切り換えられ、メインロジック回路５を介してメイン制御ユニット１のＣＰＵ４に供給される。すなわち、サブ制御ユニット２のＣＰＵ９が省電力モードに設定されている場合でも、センサ８ａによって検出された例えば用紙の有無等の検出信号は、メイン制御ユニット１のＣＰＵ４に確実に送信することができる。【選択図】  図１
2007160711.tif 000002
【特許請求の範囲】
【請求項１】
装置の負荷及び装置の状態検知を分担して行う第１、第２の制御手段を備え、該第２の制御手段は省電力モードにおいて電源供給が停止される印刷装置において、
前記第２の制御手段は
前記第１の制御手段から供給される制御信号を入力する入力手段と、
前記省電力モードにおいて、前記状態検知を行う検知手段から出力される検知信号を前記入力手段への出力に切り換える第１の切換手段と、
該第１の切換手段によって切り換えられた前記検知信号を前記入力手段を介して、前記第１の制御手段に出力する出力手段と、
を有することを特徴とする印刷装置。
【請求項２】
前記第１の制御手段は、前記第２の制御手段から供給される検知信号の入力と、前記第２の制御手段に出力する制御信号の出力を切り換える第２の切換手段を有することを特徴とする請求項１記載の印刷装置。
【請求項３】
前記状態検知を行う検知手段は、用紙の有無又は用紙の残量を検知するセンサであることを特徴とする請求項１、又は２記載の印刷装置。
【請求項４】
前記第１、第２の切換手段は、スリーステート回路であることを特徴とする請求項１、２、又は３記載の印刷装置。
【請求項５】
装置の状態検知を行う検知手段を備える印刷装置において、
省電力モードにおいて、前記検知手段への電源供給を停止する電源停止手段と、
前記省電力モード中、切換手段が備わる装置箇所の操作によって該切換手段を切り換え、前記検知手段への電源供給を一時的に行う電源供給手段と、
該電源供給中、前記検知手段の検知出力により装置の状態を確認する確認手段と、
を有することを特徴とする印刷装置。
【請求項６】
前記状態検知を行う検知手段は、用紙の有無又は用紙の残量を検知するセンサであることを特徴とする請求項５記載の印刷装置。
【発明の詳細な説明】
【技術分野】
【０００１】
本発明はサブ制御ユニットの電源供給を制御して、電力消費を抑える印刷装置に関する。
【背景技術】
【０００２】
今日、通常のプリンタ装置のみならず、スキャナ機能や、複写機能等の多機能を併せ持つＭＦＰが広く使用されている。また、インクジェット方式や電子写真記録方式等の各種方式の印刷装置が使用されている。このような印刷装置の制御回路は、機構部の複雑化、実装の高密度化、多品種対応等のため、制御回路の回路基板をユニット毎に複数に分割して搭載することが多い。しかし、一方においては、印刷装置全体の省電力化に対する要求も強く、非印刷時に使用しないユニットの動作を停止させ、電力消費を抑えるスリープモードが実践されている。
【０００３】
図１０は従来のエンジン制御回路の一例を示す図であり、同図（ａ）はエンジン全体が動作している状態の制御回路を示し、同図（ｂ）はエンジンがスリープ状態の場合を示す。エンジン制御回路は、メイン制御ユニット４０とサブ制御ユニット４１の２つのユニットで構成され、メイン制御ユニット４０がエンジン全体制御を行うと共に、モータ、アクチュエータ類の複数の負荷４２と複数のセンサ４３の制御を担い、サブ制御ユニット４１が負荷４４と複数のセンサ４５の制御を担っている。
【０００４】
同図（ａ）に示すように、メイン制御ユニット４０のＣＰＵ４６はメイン／サブ通信信号ａを使用してサブ制御ユニット４１のＣＰＵ４７に指示を出すと共に、メイン／サブ通信信号ａによってサブ制御ユニット４１の状態を読み取る。
【０００５】
尚、タイミング信号ｂは、例えばパルスモータのパルス周期信号等、厳密なタイミングが要求される信号をメインロジック回路４８からサブロジック回路４９に出力する。
一方、同図（ｂ）は、ＣＰＵ４６からの指示により、サブ制御ユニット４１の分担部分を非動作状態、所謂スリープ状態に設定した場合を示す。同図（ｂ）に示す編目部は停止状態にある回路を示し、ＣＰＵ４７、サブロジック回路４９を停止状態に設定し、消費電力を抑えている。また、ＣＰＵ４７が停止状態であるため、センサ４５の状態をＣＰＵ４７では読み取れない。
【０００６】
図１１は上記サブ制御ユニット４１の詳細な回路ブロック図である。メイン制御ユニット４０（メインロジック回路４８）から供給されるタイミング信号ｂは、サブロジック回路４９に供給される。また、ＣＰＵ４７から駆動信号５０ａ〜５０ｄが出力され、駆動信号５０ａ〜５０ｄはサブロジック回路４９を構成する制御ロジック回路４９ａ〜４９ｄ、及びドライバ回路５１ａ〜５１ｄを介して負荷４４ａ〜４４ｄに供給される。
【０００７】
また、各センサ４５で検出された検出信号５２ａ〜５２ｄは、ＣＰＵ４７に供給され、ＣＰＵ４７からメイン制御ユニット４０のＣＰＵ４６に送信される。
尚、メイン電源とサブ電源を使用した画像記録装置として、例えばフォトセンサの発光素子への通電を停止し、省電力を図る特許文献１が開示されている。
【特許文献１】特開２００３−３３９９８３号公報（段落００４２〜００５９）
【発明の開示】
【発明が解決しようとする課題】
【０００８】
上記従来例において、印刷装置が省電力モードであっても、給紙カセット等は用紙補給のためユーザに操作される可能性がある。このため、用紙の有無や用紙残量検知は、省電力モードでも実行し、例えばオペレーションパネル等に用紙の有無等の情報を表示する必要がある。
【０００９】
そこで、本発明は消費電力を抑えるため省電力モードを採用すると共に、用紙の有無や用紙残量等の情報を正確に取得し、例えば表示することが可能な印刷装置を提供するものである。
【課題を解決するための手段】
【００１０】
上記課題は本発明の印刷装置によれば、装置の負荷及び装置の状態検知を分担して行う第１、第２の制御手段を備え、該第２の制御手段は省電力モードにおいて電源供給が停止される印刷装置において、前記第２の制御手段は、前記第１の制御手段から供給される制御信号を入力する入力手段と、前記省電力モードにおいて、前記状態検知を行う検知手段から供給される検知信号を前記入力手段への出力に切り換える第１の切換手段と、該第１の切換手段によって切り換えられた前記検知信号を前記入力手段を介して、前記第１の制御手段に出力する出力手段と、を有する印刷装置を提供することによって達成できる。
【００１１】
ここで、上記制御信号は、例えば上記第２の制御手段によって制御される負荷のタイミング信号であり、このようなタイミング信号の入力部を前記省電力モード時、状態検知を行うセンサの検出信号の入力部として使用し、第２の制御手段への電源供給が行われない場合でも、第２の制御手段が制御するセンサの検出信号を第１の制御手段に導くことができる。
【００１２】
このように構成することにより、印刷装置の省電力化と、省電力モード時においても必要な装置の状態検知を確実に行うことができる。
また、前記第１の制御手段は、例えば前記第２の制御手段から供給される検知信号の入力と、前記第２の制御手段に出力する制御信号の出力を切り換える第２の切換手段を有する構成である。
【００１３】
このように構成することにより、第１の制御手段から第２の制御手段に供給する制御信号と、第２の制御手段から第１の制御手段に供給される検出信号を第１の制御手段内で効率よく処理することができ、例えば第１の制御手段に入力した検出信号をＣＰＵに供給することができる。
【００１４】
また、前記状態検知を行う検知手段は、例えば用紙の有無又は用紙の残量を検知するセンサである。このように構成することにより、省電力モード時においても、給紙カセットへの用紙の補給を確実に知ることができる。
【００１５】
さらに、上記課題は本発明の印刷装置によれば、装置の状態検知を行う検知手段を備える印刷装置において、省電力モードにおいて、前記検知手段への電源供給を停止する電源停止手段と、前記省電力モード時、切換手段が備わる装置箇所の操作によって該切換手段を切り換え、前記検知手段への電源供給を一時的に行う電源供給手段と、該電源供給中、前記検知手段の検知出力により装置の状態を確認する確認手段とを有する印刷装置を提供することによって達成できる。
【００１６】
このように構成することにより、印刷装置の省電力と、必要な装置の状態検知を確実に行うことができる。
また、前記状態検知を行う検知手段は、例えば用紙の有無又は用紙の残量を検知するセンサである。このように構成することにより、省電力モードにおいても、給紙カセットへの用紙の補給を確実に知ることができる。
【発明の効果】
【００１７】
本発明によれば、印刷装置の電力消費を抑えると共に、省電力モードにおいても必要な装置の状態検知を確実に行なうことができる。
また、検知手段として、用紙の有無や用紙残量を検知するセンサを使用する場合、省電力モードにおいても上記用紙の有無等の情報を確実に得ることができる。
【発明を実施するための最良の形態】
【００１８】
以下、図面を参照しながら本発明の実施の形態について説明する。
図１は、本実施形態を実現するためのエンジン制御回路の一例を示す図であり、同図（ａ）はエンジン全体が動作している状態の制御回路を示し、同図（ｂ）はエンジンがスリープ状態の場合を示す。尚、このエンジン制御回路は、不図示の印刷装置に配設され、例えば電子写真記録方式のプリンタ装置の場合、感光体ドラムや、印字ヘッド、帯電器、現像器、転写器等のエンジン部の駆動制御を行う。
【００１９】
本例のエンジン制御回路は、メイン制御ユニット１とサブ制御ユニット２の２つのユニットで構成されている。メイン制御ユニット１はエンジン全体の制御を行い、ＣＰＵ４からメインロジック回路５を介して負荷３に駆動信号が供給される。また、ＣＰＵ４はセンサ６からメインロジック回路５を介して供給される検出信号を入力し、ＣＰＵ４の駆動制御に使用する。
【００２０】
一方、サブ制御ユニット２はメイン制御ユニット１と同様、負荷７とセンサ８ａ、８ｂを接続するが、スリープモード時、負荷７は駆動を停止する。また、センサ８ｂもスリープモード時、駆動を停止する。一方、センサ８ａはスリープモード時においても、駆動を停止せず、例えば用紙の有無検知や用紙の残量検知を行う。尚、図１（ｂ）に示す網掛部は、スリープモードにおいて駆動を停止する回路を示す。但し、印刷時においては、ＣＰＵ９は負荷７を制御するためサブロジック回路１０を介して上記負荷７に駆動信号を供給する。また、ＣＰＵ９はセンサ８ａ、８ｂからサブロジック回路１０を介して供給される検出信号を入力し、ＣＰＵ９の駆動制御に使用する。
【００２１】
また、メイン制御ユニット１とサブ制御ユニット２間には、メイン／サブ通信信号ａ及びタイミング信号ｔが送受信され、メイン／サブ通信信号ａはＣＰＵ４とＣＰＵ９間で送受信され、タイミング信号ｔはメインロジック回路５からサブロジック回路１０に出力される。
【００２２】
上記構成において、図２はサブ制御ユニット２の内部構成を具体的に説明する図である。同図に示すように、サブ制御ユニット２に配設されたサブロジック回路１０は駆動ロジック回路１０ａ〜１０ｄで構成され、更にサブロジック回路１０内には切換回路１１が配設されている。また、各駆動ロジック回路１０ａ〜１０ｄの出力は、対応するドライバ回路１２ａ〜１２ｄを介して負荷７ａ〜７ｄに出力される。一方、センサ８ａの出力は、切換回路１１を介してＣＰＵ９に出力され、サブ制御ユニット２がスリープモード時、切換回路１１を介してメイン制御ユニット１側に出力される。尚、センサ８ｂの検出信号は直接ＣＰＵ９に出力される。
【００２３】
切換回路１１にはＣＰＵ９からセレクト信号Ｃが供給され、セレクト信号Ｃに従って上記センサ８ａから供給される検出信号ｄ１〜ｄ４をＣＰＵ９又はメイン制御ユニット１側に出力する。また、メイン制御ユニット１から供給されるタイミング信号ｔ１〜ｔ４は切換回路１１によって切り換えられ、印刷処理時、切換回路１１を介して駆動ロジック回路１０ａ〜１０ｄに供給される。
【００２４】
図３は上記切換回路１１の回路図を示す。切換回路１１は、１対のスリーステートゲート（以下、３ステート回路で示す）１５、１６で構成され、１対の３ステート回路が４個並列に配設されている。例えば、メイン制御ユニット１から供給されるタイミング信号ｔ１、及びセンサ８ａからの検出信号ｄ１は、３ステート回路１５ａ、１６ａによって切り換え制御される。また、メイン制御ユニット１から供給されるタイミング信号ｔ２、及びセンサ８ａからの検出信号ｄ２は、３ステート回路１５ｂ、１６ｃによって切り換え制御される。以下、メイン制御ユニット１から供給されるタイミング信号ｔ３、ｔ４、及びセンサ８ａからの検出信号ｄ３、ｄ４についても同様であり、対応する３ステート回路１５ｃ、１６ｃ、又は１５ｄ、１６ｄによって切り換え制御される。
【００２５】
一方、図４はメイン制御ユニット１の具体的な回路図であり、メインロジック回路５はタイミング発生回路２０、及び切換回路２１を備える。タイミング発生回路２０は前述のタイミング信号ｔ１〜ｔ４を生成する回路であり、ＣＰＵ４の制御に従って生成したタイミング信号ｔ１〜ｔ４を切換回路２１に出力する。切換回路２１はＣＰＵ４から供給されるセレクト信号Ｓに従って上記タイミング信号ｔ１〜ｔ４をサブ制御ユニット２に供給する。
【００２６】
また、切換回路２１はスリープモード時、センサ８ａからの検出信号ｄ１〜ｄ４が入力すると、セレクト信号Ｓに従って当該検出信号ｄ１〜ｄ４をＣＰＵ４に出力する。図５は上記切換回路２１の具体的な回路を説明する回路図である。この切換回路２１も、１対の３ステート回路２３、２４で構成され、１対の３ステート回路が４個並列に配設されている。例えば、タイミング発生回路２０から出力されたタイミング信号ｔ１〜ｔ４は、３ステート回路２３ａ〜２３ｄによって切り換え制御される。また、サブ制御ユニット２から供給される検出信号ｄ１〜ｄ４は、３ステート回路２４ａ〜２４ｄによって切り換え制御される。
【００２７】
以上の構成において、以下に本例の処理動作を説明する。
印刷処理中、メイン制御ユニット１及びサブ制御ユニット２が駆動し、前述の図１に示すように負荷３及び７に駆動信号を供給し、センサ６、８ａ、８ｂから各種検出信号の供給を受ける。上記印刷状態では、メイン制御ユニット１のＣＰＵ４からセレクト信号Ｓが切換回路２１に出力され、タイミング発生回路２０で生成したタイミング信号ｔ１〜ｔ４はサブ制御ユニット２側に出力される。すなわち、ＣＰＵ４から切換回路２１にセレクト信号Ｓ（“Ｌ”）が供給され、３ステート回路２３ａ〜２３ｄの出力はローインピーダンスに設定され、タイミング信号ｔ１〜ｔ４を切換回路２１（３ステート回路２３ａ〜２３ｄ）を介してサブ制御ユニット２に供給する。
【００２８】
サブ制御ユニット２側のＣＰＵ９は、印刷処理中セレクト信号Ｃを切換回路１１に供給し、メイン制御ユニット１から入力した上記タイミング信号ｔ１〜ｔ４の切り換え処理を行う。すなわち、この時セレクト信号Ｃは“Ｌ”であり、前述の図３に示す３ステート回路１５ａ〜１５ｄをローインピーダンスに設定し、タイミング信号ｔ１〜ｔ４を駆動ロジック回路１０ａ〜１０ｄに導く。
【００２９】
このようにして、駆動ロジック回路１０ａ〜１０ｄに供給されたタイミング信号ｔ１〜ｔ４は、ＣＰＵ９から出力される各種駆動信号のタイミング制御に使用される。そして、上記タイミング信号ｔ１〜ｔ４によって制御された各種駆動信号はドライバ回路１２ａ〜１２ｄを介して対応する負荷７ａ〜７ｄに出力される。
【００３０】
また、センサ８ａによって検出された、例えば用紙有無等の情報は、切換回路１１に入力し、切換回路１１を介してＣＰＵ９に供給される。この時、前述のようにセレクト信号Ｃは“Ｌ”であり、図３に示す３ステート回路１６ａ〜１６ｄの出力はハイインピースであり、センサ８ａから供給された検出信号ｄ１〜ｄ４は、３ステート回路１６ａ〜１６ｄを流れることなく、ＣＰＵ９に供給される。この場合、ＣＰＵ９（サブ制御ユニット２）は駆動状態であり、ＣＰＵ９に供給された検出信号ｄ１〜ｄ４は、更にメイン／サブ通信信号ａとしてメイン制御ユニット１側のＣＰＵ４に送られる。
【００３１】
一方、本例の印刷装置を一定時間使用しない時、スリープモードに設定される。図６はスリープモードへの移行を説明するフローチャートである。先ず、メイン制御ユニット１のＣＰＵ４はセレクト信号Ｓを“Ｈ”に切り換え（ステップ（以下、ＳＴで示す）１）、サブ制御ユニット２のＣＰＵ９にスリープコマンドを送信する（ＳＴ２）。尚、このスリープコマンドの送信は、前述のメイン／サブ通信信号ａの一態様である。
【００３２】
サブ制御ユニット２のＣＰＵ９は、スリープコマンドの受信を待ち（ＳＴ３）、コマンドを受信すると（ＳＴ３があり）、当該コマンドがスリープコマンドであるか判断する（ＳＴ４）。ここで、スリープコマンドでなければ（ＳＴ４がＮo）、対応するコマンド処理を行うが、スリープコマンドであると（ＳＴ４がＹes）、スリープ中使用しない出力を停止する（ＳＴ５）。そして、セレクト信号Ｃを“Ｈ”に切り換え（ＳＴ６）、ＣＰＵ９をスリープモードに切り換える（ＳＴ７）。
【００３３】
上記処理により、先ずＣＰＵ４から出力されるセレクト信号Ｓは“Ｈ”となり、切換回路２１に供給される。このため、図５に示す３ステート回路２３ａ〜２３ｄの出力はハイインピーダンスとなり、駆動ロジック回路１０ａ〜１０ｄへのタイミング信号ｔ１〜ｔ４の出力は遮断される。
【００３４】
次に、スリープモードにおいて、上記のようにサブ制御ユニット２のＣＰＵ９の駆動は停止する。したがって、センサ８ａで検出する検出信号ｄ１〜ｄ４はＣＰＵ９に出力されることなくメイン制御ユニット１に送る必要がある。
【００３５】
先ず、センサ８ａから出力された検出信号ｄ１〜ｄ４は、前述の切換回路１１に供給される。この時、セレクト信号Ｃは“Ｈ”に設定されており、図３に示す３ステート回路１６ａ〜１６ｄの出力はローインピーダンスに設定され、切換回路１１に入力した検出信号ｄ１〜ｄ４は切換回路１１（３ステート回路１６ａ〜１６ｄ）を通って、メイン制御ユニット１に送られる。
【００３６】
メイン制御ユニット１に送られた検出信号ｄ１〜ｄ４は、切換回路２１に入力する。この時、ＣＰＵ４から切換回路２１に対して“Ｈ”のセレクト信号Ｓが供給されており、３ステート回路２４ａ〜２４ｄの出力がローインピーダンスである。したがって、検出信号ｄ１〜ｄ４は切換回路２１（３ステート回路２４ａ〜２４ｄ）を通ってＣＰＵ４に送られる。したがって、サブ制御ユニット２が非駆動状態のスリープモードにおいても、センサ８ａによる検出信号ｄ１〜ｄ４は、切換回路１１、及び切換回路２１を介してメイン制御ユニット１のＣＰＵ４に送信することができる。
【００３７】
したがって、本例によればスリープ中でも検出する必要のある用紙の有無情報や、用紙残量情報等の情報を検出し、ＣＰＵ４に通知することができる。また、本例によれば、切換回路１１及び２１の追加によって実現することができ、少ないコストアップによって発明を実現することができる。
【００３８】
尚、図７はスリープモードを解除するフローチャートであり、メイン制御ユニット１のＣＰＵ４からサブ制御ユニット２のＣＰＵ９へスリープ解除信号を送信する（ＳＴ８）。サブ制御ユニット２では、スリーブ解除後の初期化処理を行い（ＳＴ９）、セレクト信号Ｃを“Ｌ”に切り換え（ＳＴ１０）、ＣＰＵ４へスリープ解除完了信号を送信する（ＳＴ１１）。一方、メイン制御ユニット１では上記スリープ解除完了信号の入力を待ち、ＣＰＵ９から送信されたスリープ解除完了信号を受信すると（ＳＴ１２、ＳＴ１３がＹes）、セレクト信号Ｓを“Ｌ”に切り換え（ＳＴ１４）、スリープモードを終了する。
【００３９】
尚、上記実施形態の説明では、１つのメイン制御ユニット１に対して１つのサブ制御ユニット２を接続する構成としたが、１つのメイン制御ユニット１に対して複数のサブ制御ユニット２を接続する構成としてもよい。
（実施形態２）
次に、本発明の実施形態２について説明する。
【００４０】
本例はスリープ中であっても、ＬＥＤを点灯させたまま維持することは無駄な電力消費であるため、必要に応じてＬＥＤの点灯を確認するものである。ここで、ＬＥＤとしては、例えばフォトセンサに使用し、スリープ中のフォトセンサへの電源供給を停止して電力消費を抑えると共に、必要に応じてフォトセンサからの検出信号を受信可能とするものである。以下、具体的に説明する。
【００４１】
図８は、本例を説明するシステム構成図であり、ＣＰＵ３０、フォトセンサＬＥＤ制御回路３１、用紙有無検知フォトセンサ３２、用紙残量検知フォトセンサ３３、用紙サイズ検知スイッチ３４で構成されている。尚、上記用紙有無検知フォトセンサ３２、用紙残量検知フォトセンサ３３、用紙サイズ検知スイッチ３４は、不図示の給紙カセット近傍に配設され、各フォトセンサの検出信号はＣＰＵ３０に供給される。また、フォトセンサＬＥＤ制御回路３１はＣＰＵ３０の制御に従って、用紙有無検知フォトセンサ３２内のＬＥＤ、又は用紙残量検知フォトセンサ３３内のＬＥＤのオン、オフ制御を行う。
【００４２】
図９は本例の処理動作を説明するフローチャートである。同図において、印刷装置がスリープモードに設定されると、ＣＰＵ３０から制御信号が出力され、フォトセンサＬＥＤ制御回路３１は用紙有無検知フォトセンサ３２に対してＬＥＤのオフ信号を出力する（ステップ（以下、Ｓで示す）１）。このオフ信号により、用紙有無検知フォトセンサ３２内のＬＥＤは消灯し、以後用紙有無検知フォトセンサ３２の用紙有無の検知処理を停止する。また、同時にフォトセンサＬＥＤ制御回路３１は用紙残量検知フォトセンサ３３に対してＬＥＤのオフ信号を出力し、用紙有無検知フォトセンサ３２内のＬＥＤを消灯し、以後用紙残量検知フォトセンサ３３の用紙残量の検知処理を停止する（Ｓ２）。したがって、上記処理により、ＬＥＤを発光させるための電力消費が無くなり、省電力を実現できる。
【００４３】
その後、スリープモードが続くが、例えば用紙を補給するため給紙カセットを抜く場合がある。この場合、用紙を補給し、給紙カセットを印刷装置に装着すると、用紙サイズ検知スイッチ３４がオンとなる。用紙サイズ検知スイッチ３４は、電源スリープ中であっても駆動可能であり、用紙を補給し、給紙カセットを印刷装置に装着すると、用紙サイズ検知スイッチ３４がオンとなる。
【００４４】
したがって、印刷装置がスリープ中であっても、給紙カセットを着脱すると用紙サイズ検知スイッチ３４がオフからオンに変わり（Ｓ２がＹes）、フォトセンサＬＥＤ制御回路３１からＬＥＤのオン信号が出力される（Ｓ３）。このオン信号により、用紙有無検知フォトセンサ３２内のＬＥＤ、及び用紙残量検知フォトセンサ３３内のＬＥＤは点灯し、用紙有無検知フォトセンサ３２及び用紙残量検知フォトセンサ３３の検知動作が開始される（Ｓ４）。
【００４５】
その後、ＣＰＵ３０は用紙有無検知フォトセンサ３２及び用紙残量検知フォトセンサ３３から出力される検知信号によって検知動作の完了を知り（Ｓ５がＹes）、本例の処理を完了する。すなわち、印刷装置がスリープ中であっても、用紙有無検知フォトセンサ３２及び用紙残量検知フォトセンサ３３を必要に応じて駆動することができ、用紙の有無や残量を知ることができる。
【００４６】
尚、本例においては、用紙サイズ検知スイッチ３４の駆動に基づいてＬＥＤのオン、オフ制御を行う構成としたが、印刷装置のフロントカバーやサイドカバーの開閉を検知するスイッチの駆動によってＬＥＤのオン、オフ制御を行う構成としてもよい。
【図面の簡単な説明】
【００４７】
【図１】本実施形態を実現するためのエンジン制御回路の一例を示す図であり、（ａ）はエンジン全体が動作している状態の制御回路を示し、（ｂ）はエンジンがスリープ状態の場合を示す本実施形態のシステム構成図である。
【図２】サブ制御ユニットの内部構成を具体的に説明する図である。
【図３】サブ制御ユニット内の切換回路の回路図を示す図である。
【図４】メイン制御ユニット１側の具体的な回路図である。
【図５】メイン制御ユニット内の切換回路の具体的な回路構成を説明する回路図である。
【図６】スリープモードへの移行処理を説明するフローチャートである。
【図７】スリープモードの解除処理を説明するフローチャートである。
【図８】実施形態２を実現するためのシステム構成図である。
【図９】実施形態２の処理動作を説明するフローチャートである。
【図１０】従来例のエンジン制御回路の一例を示す図であり、（ａ）はエンジン全体が動作している状態の制御回路を示し、（ｂ）はエンジンがスリープ状態の場合を示す本実施形態のシステム構成図である。
【図１１】従来例のサブ制御ユニットの内部構成を具体的に説明する図である。
【符号の説明】
【００４８】
１・・・メイン制御ユニット
２・・・サブ制御ユニット
３・・・負荷
４・・・ＣＰＵ
５・・・メインロジック回路
６・・・センサ
７・・・負荷
８ａ、８ｂ・・・センサ
９・・・ＣＰＵ
１０・・サブロジック回路
１０ａ〜１０ｄ・・駆動ロジック回路
１１・・切換回路
１２ａ〜１２ｄ・・駆動ロジック回路
１５、１６、１５ａ〜１５ｄ、１６ａ〜１６ｄ・・３ステート回路
２０・・タイミング発生回路
２１・・切換回路
２３、２４、２３ａ〜２３ｄ、２４ａ〜２４ｄ・・３ステート回路
３０・・ＣＰＵ
３１・・フォトセンサＬＥＤ制御回路
３２・・用紙有無検知フォトセンサ
３３・・用紙残量検知フォトセンサ
３４・・用紙サイズ検知スイッチ
【図２】
2007160711.tif 000003
【図３】
2007160711.tif 000004
【図４】
2007160711.tif 000005
【図５】
2007160711.tif 000006
【図６】
2007160711.tif 000007
【図７】
2007160711.tif 000008
【図８】
2007160711.tif 000009
【図９】
2007160711.tif 000010
【図１１】
2007160711.tif 000011
【図１】
2007160711.tif 000012
【図１０】
2007160711.tif 000013